(57)【要約】      （修正有）【課題】燃料電池装置の流路板の改良により小型化に寄与する。【解決手段】板体、上部槽体、下部槽体、注入流路、及び、排出流路を含む。上部槽体と下部槽体が板体のそれぞれ上表面と下表面を形成し、その各上部、下部槽体の設置位置は、燃料電池板の各膜電極接合体の設置位置に対応している。注入流路が、板体のそれぞれ上、下表面で形成され、且つ、各上部、下部槽体とそれぞれ相互に連結している。排出流路が、板体の上、下表面でそれぞれ形成され、且つ、と各上部、下部槽体とそれぞれ相互に連結する。【選択図】図３
0003117393.tif 000002
【実用新案登録請求の範囲】
【請求項１】
両面流路板構造において、
板体と、
該板体のそれぞれ上表面と下表面に形成し、この中の各上部、下部槽体の設置位置が、燃料電池板の各膜電極接合体の設置位置と対応する上部槽体及び下部槽体を含むことを特徴とする、両面流路板構造。
【請求項２】
請求項１記載の両面流路板構造において、更に一歩進んで、
該板体の上、下表面でそれぞれ形成され、且つ、各上部、下部槽体とそれぞれ相互に連結する注入流路と、
該板体の上、下表面でそれぞれ形成され、且つ、各上部、下部槽体とそれぞれ相互に連結する排出流路を含むことを特徴とする、両面流路板構造。
【請求項３】
請求項２記載の両面流路板構造において、その注入流路と排出流路が、各上部、下部槽体の下方と上方にそれぞれ配置することを特徴とする、両面流路板構造。
【請求項４】
請求項２記載の両面流路板構造において、更に一歩進んで、
該板体の側辺に配置され、且つ、該注入流路の末端と連結する注入口と、
該板体の側辺に配置され、且つ、該排出流路の末端と連結する排出口を含むことを特徴とする、両面流路板構造。
【請求項５】
請求項２記載の両面流路板構造において、更に一歩進んで、各上部、下部槽体の内部位置に配置されて少なくとも1個以上の支持ブロックを含み、且つ、これら支持ブロックの高度は、該上部、下部槽体の側辺高度に接近、或いは、凸出することを含むことを特徴とする、両面流路板構造。
【請求項６】
請求項５記載の両面流路板構造において、これら支持ブロックは、各上部、下部槽体の中央位置にそれぞれ配置することを特徴とする、両面流路板構造。
【請求項７】
請求項５記載の両面流路板構造において、これら支持ブロックは、各上部、下部槽体の中央位置に隣接する右上部、右下部、左上部、及び、左下部にそれぞれ配置することを特徴とする、両面流路板構造。
【請求項８】
請求項４記載の両面流路板構造において、その注入口と排出口は、該板体の同一側辺に配置することを特徴とする、両面流路板構造。
【請求項９】
請求項１記載の両面流路板構造において、該上部槽体数量が少なくとも1個以上であることを特徴とする、両面流路板構造。
【請求項１０】
請求項１記載の両面流路板構造において、該下部槽体の数量が、少なくとも1個以上であることを特徴とする、両面流路板構造。
【考案の詳細な説明】
【技術分野】
【０００１】
本考案は、一種の燃料電池装置の流路板構造に関り、特に両面流路板で、両側の表面で燃料の流場構造を形成し、また、その両側面にそれぞれ燃料電池板を密着したものを提供することに関するものである。
【背景技術】
【０００２】
従来の燃料電池の流路板は、その片面上に例えば流路溝のような流場構造を設置することで、燃料電池の膜電極接合体をこの片面上に密着することしか選択がなく、この種の流路板と燃料電池の結合方法は、平面で、且つ、大面積型の燃料電池で言うと、流路板の面積が少なくとも燃料電池の面積程度に近いものとならなければならず、これにより燃料電池の各膜電極接合体が燃料供給を得られることができることから、従来の流路板の構造は、明らかに小型化という燃料電池装置に適用されることが無い。
【０００３】
本考案の考案者は、従来の流路板の欠陥を鑑み、一種の両面流路板構造を改良・創作することを切望したのである。
【考案の開示】
【考案が解決しようとする課題】
【０００４】
本考案の主な目的は、一種両面流路板構造で、流路板の上、下両表面にそれぞれ燃料の流場構造を形成することにある。
【０００５】
本考案の別な目的は、一種の両面流路板構造で、燃料電池の全体体積を大幅に低下させることにある。
【課題を解決するための手段】
【０００６】
上記目的を達成するため、本考案は、板体と、該板体のそれぞれ上表面と下表面を形成し、この中の各上部、下部槽体の設置位置が、燃料電池板の各膜電極接合体の設置位置と対応する上部槽体及び下部槽体を含む一種の両面流路板構造を提供することにある。
【考案の効果】
【０００７】
本考案である両面流路板の長所と効果は、明らかに増進され、それは以下のとおりである。
1.両面流路板の上、下両面においてそれぞれ燃料を供給することができ、両面流路板を具備する燃料電池装置の小型化が容易に実行できる。
2.両面流路板の各支持ブロックの支持作用を介することで、燃料電池板が安全に両面流路板の表面に密着することができる。
本考案は、具体的な実施例で上記のとおりに開示したが、開示した具体的な実施例が本考案として限定的に用いることではなく、該項目を熟知する技術者は本考案の精神と範囲に基づき各種の改変と修飾を行なうことができ、行なった改変或いは修飾も全て本考案の保護範疇にあり、本考案の保護範囲は、実用新案登録請求の範囲に定義するものを基準とする。
【実施例】
【０００８】
該項目を熟知する技術者に本考案の目的、特徴、及び、効果を理解してもらうため、下記の具体的な実施例を介すると共に付属の図式を組み合わせ、本考案に対する詳細な説明を以下のとおり行うものである。
【０００９】
図１は、本考案の両面流路板を具えた燃料電池装置の立体分解見取図で、図２は本考案である図１の側面断面の見取図である。燃料電池板1は、主に主要基板11、基板11の局部的エリア内に嵌設される複数個の膜電極接合体12、及び、該基板11のそれぞれ上、下表面で形成されている集電層13を含む。上、下2枚の燃料電池板1を本考案の両面流路板2のその間にそれぞれ挟在し、両面流路板2内部の例えばメタノール溶液の液体燃料、水素ガスのガス燃料などように流動する燃料が、これら膜電極接合体12に流入した後、この時、上、下2枚の燃料電池板1でそれぞれ電流が発生し、更に各枚の燃料電池板1のこれら集電層13で形成した直並列の電気的な接続を介することで、最終的に発生した供給電圧を信号用ポート15まで電気的に接続することで、外部に電力を提供する。 
【００１０】
図３は、本考案である両面流路板構造の上表面の平面上面見取図、及び、図４は本考案である両面流路板構造の下表面の平面上面見取図である。図３と図４において、流路板2の基材は、板体21で、この板体21は例えば金属基材、プラスチック基材などを用いることができ、板体21の上表面と下表面でそれぞれ少なくとも1個以上の上部槽体23Aと下部槽体23Bをそれぞれ形成し、且つ、各表面に配置したこれら槽体23A、23Bの形成位置は、燃料電池板1の各膜電極接合体 12の位置と対応している。同時に、各槽体23A、23Bが板体21の上、下表面でそれぞれ注入流路25、及び、排出流路27を突出形成し、且つ、注入流路25の末端と排出流路27の末端において、板体21の側辺でそれぞれ注入口25A、及び、排出口27Aを形成する。注入口25Aと排出口27Aの配置位置は、板体21の同一側辺に位置することができ、さらに、配置位置が信号用ポート15と同一側の方向に位置することで、同時に燃料の注入、或いは、排出、及び、電気的な接続などの連結という利便性を達成することができる。
【００１１】
注入流路25と排出流路27は、各槽体23A、23Bの下方と上方にそれぞれ配置され、また、注入流路25と排出流路27の構造が特殊な流路配置、及び、流路切断面寸法を形成することで燃料がスムーズ、且つ、均等に注入口25Aから注入流路25を流動して更に各槽体23A、23Bに流入することができる。更に、上、下2枚の燃料電池板1の電気化学的反応を経て発生した生成物が、スムーズ、且つ、均等に各槽体23A、23Bから排出流路27に流入し、更に排出口27Aへ流動して外部に排出することができる。
【００１２】
前記の各槽体23A、23Bの底面において、例えば中央部のような適切な場所から上方に向かって支持ブロック29を突起形成し、支持ブロック29の高度は、槽体23A、23Bの側辺高度とほぼ近いものとし、その高度程度を例えば同高度、或いは、略凸起とすることができる。各支持ブロック29が燃料電池板1の基板11流路板2の表面に貼着する時、これら支持ブロック29は、対応するこれら膜電極接合体12をそれぞれ支え、これによりこれら膜電極接合体12が燃料電池の反応で熱の発生が起こり槽体23A、23Bが膨張することによって機能が低下することを避けることができる。
【図面の簡単な説明】
【００１３】
【図１】本考案である両面流路板を具備する燃料電池装置の立体分解見取図である。
【図２】本考案である図１の側面断面見取図である。
【図３】本考案である両面流路板構造の上表面の平面上面見取図である。
【図４】本考案である両面流路板構造のその下表面の平面上面見取図である。
【符号の説明】
【００１４】
1     燃料電池板
11    基板
12    膜電極接合体
13    集電層
15    信号用ポート
2     流路板
21    板体
23A   上部槽体
23B   下部槽体
25    注入流路
27    排出流路
25A   注入口
27A   排出口
29    支持ブロック
【図１】
0003117393.tif 000003
【図２】
0003117393.tif 000004
【図３】
0003117393.tif 000005
【図４】
0003117393.tif 000006